(57)【要約】【課題】コンクリート製電柱の中空部の底までの深さに関係なく、コンクリート製電柱を地際を中心として適確に補強し得るコンクリート製電柱の補強方法および該方法で補強されたコンクリート製電柱を提供する。【解決手段】複数の棒状部材５１をコンクリート製電柱１の中空部５に第２の開口部７１から挿入し、各棒状部材５１の上端の紐を外部で保持しながら複数の棒状部材５１を中空部５の下方に吊り下ろし、補強材均等配置用冶具５０および補強材懸吊用冶具９０を用いて複数の棒状部材５１を中空部５内で均等に配置するとともにコンクリート製電柱１の地際を中心とする所定の補強必要位置まで移動設定し、この補強必要位置で均等配置された棒状部材５１の下方を含む複数の棒状部材５１間の隙間を充填材で充填する。【選択図】図１３
2005226337.tif 000002
【特許請求の範囲】
【請求項１】
立設されたコンクリート製電柱を補強するコンクリート製電柱の補強方法であって、
コンクリート製電柱の側面に形成された開口部から、上端に紐を取り付けられた複数の棒状の補強材をその下端側からコンクリート製電柱の中空部に挿入する第１のステップと、
この中空部に挿入された複数の補強材の上端の紐を開口部を介してコンクリート製電柱の外部で保持しながら複数の補強材を中空部の下方に吊り下ろす第２のステップと、
この吊り下ろした複数の補強材を所定の位置まで移動して設定する第３のステップと、
この設定された複数の補強材を中空部内で均等に配置する第４のステップと、
この複数の補強材が均等に配置された状態で開口部から中空部に隙間充填材を投入して複数の補強材の下方を含む複数の補強材間の隙間を充填する第５のステップと
を有することを特徴とするコンクリート製電柱の補強方法。
【請求項２】
前記第４のステップは、複数の補強材を中空部内で均等に配置するために補強材均等配置手段および補強材懸吊手段を用いることを特徴とする請求項１記載のコンクリート製電柱の補強方法。
【請求項３】
前記第５のステップは、
開口部から中空部に第１の隙間充填材を投入して複数の補強材の下方を含む複数の補強材間の隙間を第１の隙間投入材で充填する第１の充填ステップと、
この第１の充填ステップの後、開口部から中空部に第２の隙間充填材を投入して複数の補強材の隙間を第２の隙間充填材で充填する第２の充填ステップと
を有することを特徴とする請求項１または２項に記載のコンクリート製電柱の補強方法。
【請求項４】
前記第３のステップは、前記吊り下ろした複数の補強材の下端部が中空部の最下端の底に到達するまで複数の補強材を吊り下ろした後、複数の補強材を吊り上げながら、複数の補強材を前記所定の位置まで移動して設定することを特徴とする請求項１乃至３のいずれか１項に記載のコンクリート製電柱の補強方法。
【請求項５】
立設されたコンクリート製電柱を補強するコンクリート製電柱の補強方法であって、
コンクリート製電柱の側面に形成された開口部から、上端に紐を取り付けられた複数の棒状の補強材をその下端側からコンクリート製電柱の中空部に挿入する第１のステップと、
この中空部に挿入された複数の補強材の上端の紐を開口部を介してコンクリート製電柱の外部で保持しながら補強材を中空部の下方に吊り下ろす第２のステップと、
この吊り下ろした複数の補強材の下端部が中空部の最下端部の底に到達するまで複数の補強材を吊り下ろした後、複数の補強材を中空部に均等に配置するための補強材均等配置手段の複数の貫通部に複数の補強材の上端から開口部を介して外部に出ている紐を貫通させ、更に複数の補強材を中空部において所望の位置に懸吊するための補強材懸吊手段の複数の懸吊部に前記補強材均等配置手段の複数の貫通部を貫通した前記紐を貫通させる第３のステップと、
紐を外部で保持しつつ紐を貫通部に貫通された補強材均等配置手段をワイヤで外部から開口部を介して保持しながら補強材均等配置手段を開口部から中空部に挿入するとともに、紐が貫通した補強材均等配置手段の複数の貫通部と当該同じ紐が貫通した補強材懸吊手段の複数の懸吊部とが上下方向で対応した同じ位置になるように補強材懸吊手段を開口部の位置の中空部に挿入して固定する第４のステップと、
中空部に挿入された補強材均等配置手段の複数の貫通部を貫通してから補強材懸吊手段の複数の懸吊部を貫通した紐を外部から繰り上げるように上方に引っ張りながら、外部で保持している前記ワイヤを緩めて補強材均等配置手段をその複数の貫通部に複数の補強材を貫通させながら中空部の下方に所望の位置まで吊り下ろして複数の補強材を中空部に均等に配置する第５のステップと、
前記紐の上方への引っ張りにより複数の補強材を所定の位置に移動させ、この所定の位置に複数の補強材を設定する第６のステップと、
補強材を前記所定の位置に設定した状態で中空部に開口部から第１の隙間充填材を投入して複数の補強材の下方を含む複数の補強材間の隙間を第１の隙間充填材で充填する第７のステップと、
前記ワイヤを外部から上方に引っ張って補強材均等配置手段を上方に引き上げる第８のステップと、
補強材懸吊手段を引き上げた中空部に第２の隙間充填材を開口部から投入して第１の隙間充填材の上の複数の補強材の隙間を第２の隙間充填材で充填する第８のステップと
を有することを特徴とするコンクリート製電柱の補強方法。
【請求項６】
前記補強材は、アラミド繊維で形成される棒状のアラミドロッドと、このアラミドロッドの下端部に取り付けられた異型鉄筋からなる重棒とを有することを特徴とする請求項１乃至３のいずれか１項に記載のコンクリート製電柱の補強方法。
【請求項７】
前記第１の隙間充填材は、豆砂利または砕石を含み、第２の隙間充填材は、無収縮モルタル、樹脂またはコンクリートを含むことを特徴とする請求項３または５記載のコンクリート製電柱の補強方法。
【請求項８】
前記隙間充填材の中空部への投入は、コンクリート製電柱の側面に形成された第１の開口部から行なわれ、前記複数の補強材の中空部への挿入、補強材均等配置手段の中空部への挿入、および補強材懸吊手段の開口部位置での中空部への固定は、前記第１の開口部の上方に形成された第２の開口部において行なわれることを特徴とする請求項１乃至７のいずれか１項に記載のコンクリート製電柱の補強方法。
【請求項９】
前記所定の位置は、コンクリート製電柱の下端部から地際より所定の距離上方のアース孔付近までのコンクリート製電柱の地際を中心とする所定の補強必要位置であることを特徴とする請求項１乃至８のいずれか１項に記載のコンクリート製電柱の補強方法。
【請求項１０】
前記複数の補強材を中空部に均等に配置するための補強材均等配置手段は、
コンクリート製電柱の中空部に挿入可能な環状の環状中心部材と、
この環状中心部材の外周部に等間隔で均等に設けられ、前記補強材の上端に取り付けられた紐が貫通する複数の貫通部と
を有することを特徴とする請求項２または５記載のコンクリート製電柱の補強方法。
【請求項１１】
前記複数の補強材を中空部において所望の位置に懸吊するための補強材懸吊手段は、
コンクリート製電柱の中空部に挿入可能な円弧形をなす補強材固定部と、
この補強材固定部の前記円弧に沿って等間隔で均等に設けられ、前記補強材の上端に取り付けられた紐を貫通させて懸吊する複数の懸吊部と
を有することを特徴とする請求項２または５記載のコンクリート製電柱の補強方法。
【請求項１２】
請求項１乃至３のいずれか１項に記載のコンクリート製電柱の補強方法で補強されることを特徴とするコンクリート製電柱。
【発明の詳細な説明】
【技術分野】
【０００１】
本発明は、立設されているコンクリート製電柱を補強するコンクリート製電柱の補強方法および該方法で補強されたコンクリート製電柱に関する。
【背景技術】
【０００２】
コンクリート製電柱の設置工事では、立設されたコンクリート製電柱の中空部に補強材としての棒状部材を複数挿入し、それから複数の棒状部材の隙間に例えば豆砂利や砕石を投入し、更にモルタルやコンクリートなどを順次投入することによりコンクリート製電柱を補強している。なお、前記複数の棒状部材の中空部への挿入は、コンクリート製電柱の地際から上方の例えば１．０５ｍの側面に形成されたアース孔等の第１の開口部またはこの開口部より少し上方に形成された第２の開口部から行なっている。
【０００３】
このような補強は、特にコンクリート製電柱の地中に埋設された下端部と地中から延出した地際に近い部分に対して重点的に行なわれる。更に詳しくは、前記地際を中心として、地中に埋設されたコンクリート製電柱の最下端部から前記アース孔が形成されている部分付近までを補強することが重要である。
【０００４】
補強材としての棒状部材は、アラミド繊維製の棒状部材であるアラミドロッドと、この棒状部材の下端部に取り付けられた異型鉄筋と重棒とから構成されている。この棒状部材は、一般にアラミドロッドの長さが約１．８ｍ、重棒の長さが約０．８ｍであって、棒状部材自身の全体の長さは、一般に約２．６ｍである。
【０００５】
これに対して、コンクリート製電柱の最下端部からアース孔までの長さも、通常は約２．５〜２．６という規定があるのであるが、場合によっては、この長さよりも長く、例えば３ｍなどのように長くなるようなものもある。
【０００６】
このようにコンクリート製電柱の最下端部からアース孔までの長さが３ｍなどにもなるというように棒状部材の長さよりも長い場合には、この３ｍに達するような長さを有する棒状部材を別途探して用意したり、またはコンクリート製電柱の最下端部の底に例えば豆砂利や砕石などを棒状部材の長さの不足分だけ投入するなどの作業を行ない、この豆砂利や砕石などを投入した上から棒状部材を挿入し、これによりコンクリート製電柱の地際を中心として、コンクリート製電柱の最下端部からアース孔が形成されいる部分付近までを補強している。
【特許文献１】特願２００３−２４１７６号
【発明の開示】
【発明が解決しようとする課題】
【０００７】
上述したように、コンクリート製電柱の最下端部からアース孔までの長さが例えば３ｍなどにもなるというように棒状部材の長さよりも長い場合には、従来は、３ｍの長さの棒状部材を別途用意したり、またはコンクリート製電柱の最下端部に豆砂利や砕石などを棒状部材の長さの不足分だけ先に投入し、それから棒状部材を挿入するなどの作業を行っているが、このような作業の必要性は、現場に到着して、コンクリート製電柱の中空部に棒状部材を挿入することなどで初めて分かることであるため、この時点から必要な長さの棒状部材を別途探して用意するような場合には、適当な長さの棒状部材が容易に入手できず、入手するまでにかなりの時間がかかつてしまう場合もあるという問題がある。
【０００８】
また、コンクリート製電柱の最下端部に豆砂利や砕石などを棒状部材の長さの不足分だけ先に投入し、それから棒状部材を挿入する方法は、不足分がどの程度の長さまたは深さであるかを調べるために棒状部材またはメジャーなどをコンクリート製電柱の中空部に最下端部まで挿入して計測する必要があるとともに、この不足分の深さに相当する豆砂利や砕石などがどの程度の量が必要であるかも測る必要があるなどのように多くの作業を必要とし、非常に作業時間がかかり、非効率的であるという問題がある。
【０００９】
本発明は、上記に鑑みてなされたもので、その目的とするところは、コンクリート製電柱の中空部の底までの深さに関係なく、コンクリート製電柱を地際を中心として適確に補強し得るコンクリート製電柱の補強方法および該方法で補強されたコンクリート製電柱を提供することにある。
【課題を解決するための手段】
【００１０】
請求項１記載の本発明のコンクリート製電柱の補強方法は、立設されたコンクリート製電柱を補強するコンクリート製電柱の補強方法であって、コンクリート製電柱の側面に形成された開口部から、上端に紐を取り付けられた複数の棒状の補強材をその下端側からコンクリート製電柱の中空部に挿入する第１のステップと、この中空部に挿入された複数の補強材の上端の紐を開口部を介してコンクリート製電柱の外部で保持しながら複数の補強材を中空部の下方に吊り下ろす第２のステップと、この吊り下ろした複数の補強材を所定の位置まで移動して設定する第３のステップと、この設定された複数の補強材を中空部内で均等に配置する第４のステップと、この複数の補強材が均等に配置された状態で開口部から中空部に隙間充填材を投入して複数の補強材の下方を含む複数の補強材間の隙間を充填する第５のステップとを有することを要旨とする。
【００１１】
請求項２記載の本発明のコンクリート製電柱の補強方法は、前記第４のステップが、複数の補強材を中空部内で均等に配置するために補強材均等配置手段および補強材懸吊手段を用いることを要旨とする
請求項３記載の本発明のコンクリート製電柱の補強方法は、前記第５のステップが、開口部から中空部に第１の隙間充填材を投入して複数の補強材の下方を含む複数の補強材間の隙間を第１の隙間投入材で充填する第１の充填ステップと、この第１の充填ステップの後、開口部から中空部に第２の隙間充填材を投入して複数の補強材の隙間を第２の隙間充填材で充填する第２の充填ステップとを有することを要旨とする。
【００１２】
請求項４記載の本発明のコンクリート製電柱の補強方法は、前記第３のステップが、前記吊り下ろした複数の補強材の下端部が中空部の最下端の底に到達するまで複数の補強材を吊り下ろした後、複数の補強材を吊り上げながら、複数の補強材を前記所定の位置まで移動して設定することを要旨とする。
【００１３】
請求項５記載の本発明のコンクリート製電柱の補強方法は、立設されたコンクリート製電柱を補強するコンクリート製電柱の補強方法であって、コンクリート製電柱の側面に形成された開口部から、上端に紐を取り付けられた複数の棒状の補強材をその下端側からコンクリート製電柱の中空部に挿入する第１のステップと、この中空部に挿入された複数の補強材の上端の紐を開口部を介してコンクリート製電柱の外部で保持しながら補強材を中空部の下方に吊り下ろす第２のステップと、この吊り下ろした複数の補強材の下端部が中空部の最下端部の底に到達するまで複数の補強材を吊り下ろした後、複数の補強材を中空部に均等に配置するための補強材均等配置手段の複数の貫通部に複数の補強材の上端から開口部を介して外部に出ている紐を貫通させ、更に複数の補強材を中空部において所望の位置に懸吊するための補強材懸吊手段の複数の懸吊部に前記補強材均等配置手段の複数の貫通部を貫通した前記紐を貫通させる第３のステップと、紐を外部で保持しつつ紐を貫通部に貫通された補強材均等配置手段をワイヤで外部から開口部を介して保持しながら補強材均等配置手段を開口部から中空部に挿入するとともに、紐が貫通した補強材均等配置手段の複数の貫通部と当該同じ紐が貫通した補強材懸吊手段の複数の懸吊部とが上下方向で対応した同じ位置になるように補強材懸吊手段を開口部の位置の中空部に挿入して固定する第４のステップと、中空部に挿入された補強材均等配置手段の複数の貫通部を貫通してから補強材懸吊手段の複数の懸吊部を貫通した紐を外部から繰り上げるように上方に引っ張りながら、外部で保持している前記ワイヤを緩めて補強材均等配置手段をその複数の貫通部に複数の補強材を貫通させながら中空部の下方に所望の位置まで吊り下ろして複数の補強材を中空部に均等に配置する第５のステップと、前記紐の上方への引っ張りにより複数の補強材を所定の位置に移動させ、この所定の位置に複数の補強材を設定する第６のステップと、補強材を前記所定の位置に設定した状態で中空部に開口部から第１の隙間充填材を投入して複数の補強材の下方を含む複数の補強材間の隙間を第１の隙間充填材で充填する第７のステップと、前記ワイヤを外部から上方に引っ張って補強材均等配置手段を上方に引き上げる第８のステップと、補強材懸吊手段を引き上げた中空部に第２の隙間充填材を開口部から投入して第１の隙間充填材の上の複数の補強材の隙間を第２の隙間充填材で充填する第８のステップとを有することを要旨とする。
【００１４】
請求項６記載の本発明のコンクリート製電柱の補強方法は、前記補強材が、アラミド繊維で形成される棒状のアラミドロッドと、このアラミドロッドの下端部に取り付けられた異型鉄筋からなる重棒とを有することを要旨とする。
【００１５】
請求項７記載の本発明のコンクリート製電柱の補強方法は、前記第１の隙間充填材が、豆砂利または砕石を含み、第２の隙間充填材が、無収縮モルタル、樹脂またはコンクリートを含むことを要旨とする。
【００１６】
請求項８記載の本発明のコンクリート製電柱の補強方法は、前記隙間充填材の中空部への投入が、コンクリート製電柱の側面に形成された第１の開口部から行なわれ、前記複数の補強材の中空部への挿入、補強材均等配置手段の中空部への挿入、および補強材懸吊手段の開口部位置での中空部への固定は、前記第１の開口部の上方に形成された第２の開口部において行なわれることを要旨とする。
【００１７】
請求項９記載の本発明のコンクリート製電柱の補強方法は、前記所定の位置が、コンクリート製電柱の下端部から地際より所定の距離上方のアース孔付近までのコンクリート製電柱の地際を中心とする所定の補強必要位置であることを要旨とする。
【００１８】
請求項１０記載の本発明のコンクリート製電柱の補強方法は、前記複数の補強材を中空部に均等に配置するための補強材均等配置手段が、コンクリート製電柱の中空部に挿入可能な環状の環状中心部材と、この環状中心部材の外周部に等間隔で均等に設けられ、前記補強材の上端に取り付けられた紐が貫通する複数の貫通部とを有することを要旨とする。
【００１９】
請求項１１記載の本発明のコンクリート製電柱の補強方法は、前記複数の補強材を中空部において所望の位置に懸吊するための補強材懸吊手段が、コンクリート製電柱の中空部に挿入可能な円弧形をなす補強材固定部と、この補強材固定部の前記円弧に沿って等間隔で均等に設けられ、前記補強材の上端に取り付けられた紐を貫通させて懸吊する複数の懸吊部とを有することを要旨とする。
【００２０】
請求項１２記載の本発明のコンクリート製電柱は、請求項１乃至３のいずれか１項に記載のコンクリート製電柱の補強方法で補強されることを要旨とする。
【発明の効果】
【００２１】
本発明によれば、複数の補強材をコンクリート製電柱の中空部に挿入し、各補強材の上端の紐を外部で保持しながら複数の補強材を中空部の下方に吊り下ろして所定の位置まで移動設定し、この複数の補強材を均等に配置し、この均等配置された補強材の下方を含む複数の補強材間の隙間を隙間充填材で充填するので、所定の位置である例えばコンクリート製電柱の地際を中心とする所定の補強必要位置に複数の補強材を容易に設定して充填材で固定でき、従来のように中空部の深さや充填材の量を測ったり、必要な長さの補強材を探して用意するなどの手間が不要となり、作業時間を大幅に低減でき、効率化を図ることができる。
【００２２】
本発明によれば、複数の補強材をコンクリート製電柱の中空部に挿入し、各補強材の上端の紐を外部で保持しながら複数の補強材を中空部の下方に吊り下ろし、補強材均等配置手段および補強材懸吊手段を用いて複数の補強材を中空部内で均等に配置するとともに所定の位置まで移動設定し、この所定の位置で均等配置された補強材の下方を含む複数の補強材間の隙間を充填材で充填するので、所定の位置である例えばコンクリート製電柱の地際を中心とする所定の補強必要位置に複数の補強材を容易に設定して充填材で固定でき、従来のように中空部の深さや充填材の量を測ったり、必要な長さの補強材を探して用意するなどの手間が不要となり、作業時間を大幅に低減でき、効率化を図ることができる。
【００２３】
本発明によれば、所定の位置としてコンクリート製電柱の下端部から地際より所定の距離上方のアース孔付近までのコンクリート製電柱の地際を中心とする所定の補強必要位置に複数の補強材を設定して充填材で固定するので、コンクリート製電柱の補強を必要とする部位を適確かつ効率的に補強することができる。
【発明を実施するための最良の形態】
【００２４】
以下、図面を用いて、本発明を実施するための最良の形態（以下、実施形態と称する）を説明する。
【００２５】
図１〜３、１３〜１５は、本発明の一実施形態に係わるコンクリート製電柱の補強方法における一連の作業を順に説明するためのコンクリート製電柱の断面およびコンクリート製電柱の補強に必要な関連部材および冶具を示す説明図である。
【００２６】
なお、本実施形態の補強方法で補強しようとするコンクリート製電柱は、図１において符号１で示すように、上方の直径が僅かであるが徐々に小さくなるほぼ円柱形であり、最上端の頂頭部には例えばコンクリートなどで形成されたカバー１ａが装着され、下端部は地中１１に埋設されている。コンクリート製電柱１は、同図に示すように外周部３で囲まれた内部が空洞に形成されて中空部５を形成し、外周部３には複数の足場ボルト２が設けられている。
【００２７】
また、  コンクリート製電柱１が地中１１から延出した地際から約１．０５ｍの位置のコンクリート製電柱１の側面には、アース孔に該当する第１の開口部７が形成され、この第１の開口部７の少し上方、具体的には２００〜３００ｍｍ上方の側面には第２の開口部７１が形成されている。第１の開口部７は、例えば縦が４０〜６０ｍｍ、横が２０〜４０ｍｍの小判形の孔であり、コンクリート製電柱１を補強するための豆砂利、砕石、モルタル、コンクリートなどを注入するために使用される。第２の開口部７１は、例えば縦が約２５０〜３００ｍｍ、横が約２０〜５０ｍｍのほぼ楕円形であり、コンクリート製電柱１を補強するための棒状の補強材を中空部５内に挿入したり、後述する補強材均等配置用冶具や補強材懸吊用冶具などを挿入したり設定するために使用される。なお、第１の開口部７および第２の開口部７１は、コンクリート製電柱１の側面に予め形成されているアース孔を利用してもよいし、または足場ボルト部分を利用して形成してもよいが、適当な場所にこれらの部位がない場合には、コア抜きドリルなどによって形成してもよい。
【００２８】
上述したように構成されるコンクリート製電柱１の地際を中心として最下端部からアース孔が形成されている付近までの補強を最も必要とする部分を補強するために、まず図１に示すように、補強材としての棒状部材５１を複数、第２の開口部７１からコンクリート製電柱１の中空部５に挿入する。
【００２９】
ところで、図１に示す複数の棒状部材５１は、上述したように、その全体の長さが２．６ｍであるのに対して、この複数の棒状部材５１が挿入されるコンクリート製電柱１の中空部５の最下端部からアース孔に該当する第１の開口部７が形成されている位置までの長さは、図１では一例として３ｍとなっていて、棒状部材５１の長さよりも長い場合を示している。従って、このように中空部５の最下端部からアース孔の位置までの長さが３ｍである中空部５に複数の棒状部材５１を挿入した場合には、図１に示すように、複数の棒状部材５１の上端部が地際よりもほんの少し上のところとなり、アース孔の所まで届かないため、コンクリート製電柱１を十分に補強することができない。そこで、本実施形態では、複数の棒状部材５１の上端部をアース孔の付近まで引き上げ、これによりコンクリート製電柱１の地際を中心としてコンクリート製電柱１の下端部からアース孔が形成されている付近までの最も必要とする部分の補強を短時間で効率的に行なおうとするものである。
【００３０】
なお、各棒状部材５１は、アラミド繊維からなる棒状の複数のアラミドロッド５１ａと、このアラミドロッド５１ａの下端部に取り付けられた異型鉄筋からなる重棒５１ｂとを有し、上端部には綿紐やステンレス製のワイヤなどからなる紐５２が取り付けられている。
【００３１】
本実施形態では、まず、このように上端部に紐５２を取り付けられた棒状部材５１をその下端側からコンクリート製電柱１の中空部５に第２の開口部７１から挿入するために、図１に示すように、棒状部材５１の下端部の重棒５１ｂをまず第２の開口部７１から中空部５に挿入し、続いてアラミドロッド５１ａを第２の開口部７１から中空部５に挿入し、アラミドロッド５１ａが中空部５に挿入された後は、紐５２を外部で保持しながら棒状部材５１を徐々に中空部５の下方に吊り下ろし、棒状部材５１の下端部が中空部５の最下端部の底に到達するまで吊り下ろす。なお、図１では、３本の棒状部材５１が既に中空部５の底までに吊り下ろされ、４本目の棒状部材５１が第２の開口部７１から中空部５に途中まで挿入されつつある状態が図示されている。
【００３２】
続いて、棒状部材５１を同様に第２の開口部７１から中空部５に次々と挿入し、最終的には図２に示すように複数本のすべての棒状部材５１、本実施形態では６本の棒状部材５１を中空部５に底まで挿入し、各棒状部材５１の上端部に取り付けられている紐５２は、第２の開口部７１から外部に出しておく。
【００３３】
このように複数の棒状部材５１を単に第２の開口部７１から中空部５に挿入した状態では、図２に示すように、複数の棒状部材５１は、中空部５において片寄って配置されてしまうので、次にこのように片寄って配置された複数の棒状部材５１を中空部５に等間隔で均等に配置するために、図３に示すように、複数の棒状部材５１を中空部５に均等に配置するための補強材均等配置手段である補強材均等配置用冶具５０と複数の棒状部材５１を中空部５において所望の位置に懸吊するための補強材懸吊手段である第１の冶具７０および第２の冶具８０からなる補強材懸吊用冶具９０とを用意する。
【００３４】
補強材均等配置用冶具５０は、図４に示すように、コンクリート製電柱１の中空部５に挿入可能な鉄製の環状中心部材５５と、この環状中心部材５５の外周面に等間隔で均等に設けられ、棒状部材５１の上端に取り付けられた紐５２および紐５２に続いて棒状部材５１自身が貫通する複数個、本実施形態では６個の貫通部５７とから構成されている。また、環状中心部材５５に等間隔で均等に形成された３個の孔５５ａには３本の分岐ワイヤ２２ａの下端部が取り付けられ、この３本の分岐ワイヤ２２ａが１本のワイヤ２２ででまとめられ、上方から吊り下げられている。
【００３５】
補強材懸吊用冶具９０を構成する第１の冶具７０および第２の冶具８０について、それぞれ図５および図６を参照して説明する。
【００３６】
第１の冶具７０は、異型鉄筋製であり、図５に示すように、紐５２を支持して棒状部材５１を固定する円弧形の補強材固定部７７と、補強材固定部７７を中空部５へ挿入し、その位置を固定する支持部７２とを備える。
【００３７】
補強材固定部７７にはアラミドロッド５１ａ上端に締結された紐５２を懸吊して支持するための開口面（通し穴）を有し、電柱外部から加える張力によって紐５２が緊張したときにアラミドロッド５１ａを含む棒状部材の中空部５内での位置を固定するための複数、本実施形態では３個の懸吊部７３が、隣接する懸吊部間の距離が等しくなるように溶接等によって設けられている。また、図５において、懸吊部７３の開口面は円形を成しているが、これもあくまで一例に過ぎず、その他の形状、例えば楕円形あるいは方形等であってもかまわない。さらに、懸吊部７３の内側面に超硬合金を焼きバメ等によって被覆することにより、懸吊部７３自体の強度を増加させることも可能である。
【００３８】
支持部７２には、懸吊部７３から外部へ露出する紐５２を通して外部からの張力を加えやすくするための通し穴７４、第１の冶具７０を操作自在にして中空部５への挿入を容易にするための冶具操作部７５、および棒状部材を固定時に第２の冶具８０を上部に載せて支持するための２個の冶具支持部７６が具備されている。
【００３９】
図６に示す第２の冶具８０も第１の冶具７０と同様に異型鉄筋製であり、紐５２を支持して棒状部材５１を固定する円弧形の補強材固定部８１と、補強材固定部８１を中空部５へ挿入し、その位置を固定する支持部８２とを備える。
【００４０】
円弧形の補強材固定部８１に対して、紐５２を通す開口面を有する複数、本実施形態では３個の懸吊部８３が設けられている。なお、上記開口面の形状が円形に限られるものではない点については第１の冶具７０での説明と同様である。また、懸吊部８３の開口部内側面に超硬合金を用いて強度を向上させることができる点についても第１の冶具７０と同様である。
【００４１】
また、支持部８２に設けられる通し穴８４、および冶具８０を操作自在にするために設けられる冶具操作部８５も、上記通し穴７４ならびに冶具操作部７５とそれぞれ同じ機能を有している。
【００４２】
以上説明した第１、第２の２つの冶具の全長は、例えば、第１の冶具７０が６５０ｍｍ〜１０００ｍｍ、第２の冶具８０が８５０ｍｍ〜１２００ｍｍ程度であり、円弧形をなしている補強材固定部７１および８１の大きさは、補強する電柱の中空部内周の直径に応じて決定される。一例をあげると、補強材固定部７７および８１の円弧の弦の長さはそれぞれ２３０ｍｍ程度である。
【００４３】
この第１、第２の２つの冶具７０および８０をあわせると、全体として中空部５に６本のアラミドロッド５１ａが、２つの冶具をあわせて同一円上に隣接する懸吊部間の距離が等しくなるように均等に設けられる６個の懸吊部７３および８３を介して挿入されることになる。
【００４４】
以上のように構成される補強材均等配置用冶具５０および第１の冶具７０と第２の冶具８０とからなる補強材懸吊用冶具９０を用いて、図２および図３に示すように中空部５内で片寄って配置されてしまった複数の棒状部材５１を中空部５に等間隔で均等に配置するための処理を行なう。
【００４５】
この均等配置処理では、まず、図３に示すように、中空部５に配置された複数個、本実施形態では６本の棒状部材５１の各々の上端に取り付けられた６本の紐５２をそれぞれ補強材均等配置用冶具５０の複数個、本実施形態では６個の貫通部５７に貫通させ、それから更に当該６個の貫通部５７を貫通した６本の紐５２をそれぞれ補強材懸吊用冶具９０の第１の冶具７０および第２の冶具８０の複数個、本実施形態では合計６個の懸吊部７３、８３に貫通させる。なお、以下の説明では、理解を容易にするために、複数なる表現の代わりに本実施形態における具体的な数、６個や６本などを用いて説明する。
【００４６】
次に、上述したように貫通部５７および懸吊部７３、８３を貫通した６本の紐５２を外部で保持しつつ６本の紐５２を貫通部５７に貫通された補強材均等配置用冶具５０をワイヤ２２で外部から第２の開口部７１を介して手または機械的に保持しながら補強材均等配置用冶具５０を第２の開口部７１から中空部５に挿入するとともに、６本の紐５２が貫通した補強材均等配置用冶具５０の６個の貫通部５７と当該同じ紐５２が貫通した補強材懸吊用冶具９０の合計６個の貫通部５７と当該同じ紐５２が貫通した補強材懸吊用冶具９０の合計６個の懸吊部７３、８３とが上下方向で対応した同じ位置になるように補強材懸吊用冶具９０の第１の冶具７０および第２の冶具８０を順に第２の開口部７１の位置の中空部５に挿入して固定する。
【００４７】
この補強材懸吊用冶具９０の第１の冶具７０および第２の冶具８０を順に第２の開口部７１の位置の中空部５に挿入して固定する手順について図７〜図１２を参照して説明する。
【００４８】
まず、図７に示すように、補強材固定部７７を鉛直面に平行になるようにして開口部７１から挿入する。その際、開口部７１の鉛直方向の長さは補強材固定部７７の円弧の弦の長さより小さいので、冶具操作部７５等により適宜補強材固定部７７を回動させながら中空部５へ挿入する。
【００４９】
図８は、補強材固定部７７が中空部５内に挿入され、支持部７２が水平方向を向いたときの状態を示す説明図である。同図に示す状態から、支持部７２が指向する水平方向を回転軸として補強材固定部７７を９０度回転させる。
【００５０】
図９は、図８に示した状態から補強材固定部７７を前述したように回転した時の状態を示す説明図である。この図９に示す状態で棒状部材５１を固定することになるので、以後、図９に示す状態を最終状態と呼ぶことにする。
【００５１】
第１の冶具７０が図９に示す最終状態に達した後、この第１の冶具７０を人の手等で支持したまま、第２の冶具８０を中空部５へ挿入する。図１０は、挿入途中の第２の冶具８０と、すでに位置が決定して最終状態に達している第１の冶具７０双方を示す説明図である。この後の第２の冶具８０の挿入については、上述した第１の冶具７０の挿入法と本質的な相違点を有するものではないので省略する。
【００５２】
図１１は、第１、第２の冶具７０、８０から構成される補強材懸吊用冶具９０の挿入が完了し、棒状部材５１を懸吊部７３、８３から吊り下ろしている状態を示す説明図である。なお、図１１で示す状態は、図１３で対応する状態に対応する。図１１においては、補強材懸吊用冶具９０を固定するために、電柱の周囲に巻回された鉄等からなる巻回部材９１に冶具固定用の固定用部材を連結している。１つはバンド９２であり、それ以外にもワイヤ９４、およびワイヤ９４に連結されてワイヤ９４の長さを調節する調節部材９３が補強材懸吊用冶具９０に連結されている。点線を付したワイヤ９４は、図で電柱の背面を通過していることを表している。２つの冶具７０、８０の間、冶具７０とバンド９２の間、および冶具８０とワイヤ９４の間の固定法としては様々な方法が想定されるが、好ましい固定法の一例として、例えば、それぞれの連結部分に即した固定用冶具を用いて固定する方法が考えられる。その際、２つの冶具の間を固定する際には、冶具操作部７５および８５同士を固定用冶具で固定する。
【００５３】
図１２は、図１１の矢視Ａ方向から見た説明図である。同図においては、図の簡略化のためにアラミドロッド５１ａ等を省略して補強材懸吊用冶具９０のみを図示している。なお、この場合には棒状部材を６本挿入するので、懸吊部７３および８３は、固定時に隣接する懸吊部同士が６０度の角度をなすように等間隔に補強材固定部７７、８１に設けられている。通し穴７４および８４は、それぞれ懸吊部７３および８３の個数分３個ずつ設けられており、各アラミドロッド５１ａに締結された紐５２が各通し穴の異なる開口部をそれぞれ貫通することによって紐５２同士が絡み合うのを防止することができる。
【００５４】
なお、以上説明した補強材懸吊用冶具９０においては、補強材固定部７７および８１にそれぞれ設けられる懸吊部７３および８３は、中空部５の内周に接近した位置に設けられているが、このような位置に設けられる懸吊部を介して鉛直に懸吊される各補強材は、最も補強が必要な地際付近においては中空部５に均等に配置されることになる。これは、電柱が下端に達するにしたがって直径を増す略円柱形をなしているためである。
【００５５】
上述したように、特に図１１に示したように、第１の冶具７０および第２の冶具８０からなる補強材懸吊用冶具９０の特に６個の懸吊部７３、８３を第２の開口部７１の位置の中空部５に挿入して固定した状態が図１３に示す補強材懸吊用冶具９０の状態であるが、この状態において補強材均等配置用冶具５０の６個の貫通部５７および補強材懸吊用冶具９０の６個の懸吊部７３、８３を貫通した６本の紐５２を第２の開口部７１を介して外部から繰り上げるように上方に少し引っ張りながら、外部で保持しているワイヤ２２、すなわち補強材均等配置用冶具５０に取り付けられているワイヤ２２を緩めて補強材均等配置用冶具５０をその６個の貫通部５７に６本の棒状部材５１を貫通させながら中空部５の下方に所望の位置、本実施形態では地際付近の位置まで吊り下ろし、補強材均等配置用冶具５０の均等に配置された６個の貫通部５７の作用により６個の棒状部材５１を中空部５に均等に配置する。
【００５６】
次に、６本の棒状部材５１の上端部に取り付けられている６本の紐５２を上方に引っ張ることにより、６本の棒状部材５１を所定の補強必要位置、すなわちコンクリート製電柱１の地際を中心とする所定の補強必要位置、更に詳しくは、コンクリート製電柱の下端部から地際より所定の距離上方のアース孔付近までのコンクリート製電柱の地際を中心とする所定の補強必要位置に移動させ、この所定の補強必要位置に６本の棒状部材５１を設定し、この状態から６本の棒状部材５１が移動しないように６本の棒状部材５１を吊るしている６本の紐５２を図示しない固定部などに固定的に取り付ける。
【００５７】
なお、この６本の棒状部材５１を所定の補強必要位置に設定した状態は、図１３に示す状態であり、６本の棒状部材５１は、上端部が第１の開口部７に相当するアース孔の位置付近に設定され、下端部がコンクリート製電柱１の中空部５の最下端部の底よりも約４００ｍｍ上方に引き上げられ、コンクリート製電柱１の地際を中心とする所定の補強必要位置、すなわちコンクリート製電柱１の地際を中心としてコンクリート製電柱１の下端部からアース孔に該当する第１の開口部７の位置までの補強必要位置に設定されている。
【００５８】
上述したように、６本の棒状部材５１を所定の補強必要位置に設定した状態において、次に、図１４に示すように、第１の開口部７に隙間充填材投入部材１１１の下端部を設定し、上端部を上方に持ち上げて斜めに隙間充填材投入部材１１１を配置する。それから、この隙間充填材投入部材１１１の上にバケツ１１３が豆砂利または砕石を含む第１の隙間充填材１１５を垂れ流して、第１の開口部７からコンクリート製電柱１の中空部５に投入し、６本の棒状部材５１の下方の空間および下端部の隙間を第１の隙間充填材１１５で充填する。
【００５９】
次に、前記ワイヤ２２を外部から上方に引っ張って、図１５に示すように、補強材均等配置用冶具５０を第１の開口部７の上方に引き上げる。
【００６０】
それから、図１５に示すように、前記隙間充填材投入部材１１１にバケツ１１３から漏斗状部材１１７を介して無収縮モルタル、樹脂またはコンクリートを含む第２の隙間充填材１１９を垂れ流し、第１の隙間充填材１１５の上の複数の棒状部材５１の隙間を第２の隙間充填材１１９で充填する。
【００６１】
以上のようにコンクリート製電柱１を補強することにより、補強材として複数の棒状部材５１が挿入されるコンクリート製電柱１の地際を中心とする下端部からアース孔までの所定の補強必要部分の長さが棒状部材５１の長さよりも長い場合でも、すなわち棒状部材５１が補強必要部分の長さよりも短い場合でも、複数の棒状部材５１を吊り上げて所定の補強必要位置に移動させるとともに、複数の棒状部材５１の下方に形成された空間および各棒状部材５１間の隙間に豆砂利または砕石を含む第１の隙間充填材を充填することにより、コンクリート製電柱１の地際を中心とする所定の補強必要部分を適確に補強する作業を短時間で効率的に行なうことができる。
【００６２】
以上のようにコンクリート製電柱１を複数の棒状部材５１および隙間充填材で補強した後は、補強材懸吊用冶具９０を構成する第１の冶具７０および第２の冶具８０を第２の開口部７１に挿入した時の手順と逆の手順で第２の開口部７１から取り出し、更に補強材均等配置用冶具５０も第２の開口部７１から取り出す。それから、第１の開口部７や第２の開口部７１をコンクリートなどで完全に塞ぎ、必要によりカバーやアラミド繊維製のシートなどを巻回してもよい。
【図面の簡単な説明】
【００６３】
【図１】本発明の一実施形態に係わるコンクリート製電柱の補強方法における一連の作業のうちの、複数の棒状部材をコンクリート製電柱の中空部に挿入する途中の過程を説明するためのコンクリート製電柱の断面および複数の棒状部材を示す説明図である。
【図２】図１に示す状態に続いて、複数の棒状部材が完全に中空部に挿入された状態におけるコンクリート製電柱の断面および複数の棒状部材を示す説明図である。
【図３】図２に示す状態に続いて、複数の棒状部材の上端に取り付けられた紐を補強材均等配置用冶具の貫通部および補強材懸吊用冶具の懸吊部に挿入する過程を説明するためのコンクリート製電柱の断面、複数の棒状部材、補強材均等配置用冶具、補強材懸吊用冶具を示す説明図である。
【図４】図３に示した補強材均等配置用冶具の構成を詳細に示す斜視図である。
【図５】図３に示した補強材懸吊用冶具を構成する第１の冶具の構成を示す平面図である。
【図６】図３に示した補強材懸吊用冶具を構成する第２の冶具の構成を示す平面図である。
【図７】図５に示した第１の冶具をコンクリート製電柱の第２の開口部に挿入する時の状態を示す説明図である。
【図８】図５に示した第１の冶具をコンクリート製電柱の第２の開口部に挿入した時の図７に続く状態を示す説明図である。
【図９】図５に示した第１の冶具をコンクリート製電柱の第２の開口部に挿入した時の図８に続く最終状態を示す説明図である。
【図１０】図６に示した第２の冶具をコンクリート製電柱の第２の開口部に挿入する時の状態を示す説明図である。
【図１１】図５および図６に示した第１の冶具および第２の冶具からなる無補強材懸吊用冶具を第２の開口部から中空部に挿入完了して固定された状態を示す説明図である。
【図１２】図１１の矢視Ａから見た第１の冶具および第２の冶具を示す説明図である。
【図１３】図３に示す状態に続いて、補強材均等配置用冶具および補強材懸吊用冶具を用いて複数の棒状部材をコンクリート製電柱の中空部に均等に配置する過程を説明するためのコンクリート製電柱の断面、複数の棒状部材、補強材均等配置用冶具、補強材懸吊用冶具を示す説明図である。
【図１４】図１３に示す状態に続いて、豆砂利または砕石を含む第１の隙間充填材を投入する過程を説明するためのコンクリート製電柱の断面、複数の棒状部材、隙間充填材投入部材などを示す説明図である。
【図１５】図１４に示す状態に続いて、無収縮モルタル、樹脂またはコンクリートを含む第２の隙間充填材を投入する過程を説明するためのコンクリート製電柱の断面、複数の棒状部材、隙間充填材投入部材などを示す説明図である。
【符号の説明】
【００６４】
１    コンクリート製電柱
３    外周部
５    中空部
７    第１の開口部
２２    ワイヤ
５０    補強材均等配置用冶具
５１    棒状部材
５１ａ    アラミドロッド
５１ｂ    重棒
５２    紐
５５    環状中心部材
５７    貫通部
７０    第１の冶具
７１    第２の開口部
７３    懸吊部
８０    第２の冶具
９０    補強材懸吊用冶具
１１１    隙間充填材投入部材
１１５    第１の隙間充填材
１１９    第２の隙間充填材
【図１】
2005226337.tif 000003
【図２】
2005226337.tif 000004
【図３】
2005226337.tif 000005
【図４】
2005226337.tif 000006
【図５】
2005226337.tif 000007
【図６】
2005226337.tif 000008
【図７】
2005226337.tif 000009
【図８】
2005226337.tif 000010
【図９】
2005226337.tif 000011
【図１０】
2005226337.tif 000012
【図１１】
2005226337.tif 000013
【図１２】
2005226337.tif 000014
【図１３】
2005226337.tif 000015
【図１４】
2005226337.tif 000016
【図１５】
2005226337.tif 000017